(57)【要約】 【課題】  少ない情報記録によって、各光記録媒体に好適なパワーを短時間で設定する。【解決手段】  第１のパワーで記録情報に基づいて変調された記録パルス光を出力させ、所定マーク長よりも長いマークの形成時には、記録パルス光の波形中央部を第１のパワーよりも低い第２のパワーにする手段と、第１のパワーと第２のパワーとのパワー比を少なくとも２つ設定し、設定した各パワー比で、マーク長の異なる複数のマークを形成させるべく制御する手段と、形成された各マークについて、デビエーションを測定する手段と、測定結果に基づいて、設定したパワー比と異なるパワー比における複数のマーク各々のデビエーションを推定する手段と、測定結果及び推定結果に基づいて、デビエーションの分散をパワー比毎に算出する手段と、算出された分散が最小となるパワー比と略同一になるように、パワーを設定する手段とを備える。【選択図】  図２
2006351092.tif 000002
【特許請求の範囲】
【請求項１】
光源から出力された記録パルス光を光記録媒体に照射することにより、前記光記録媒体上にマーク及びスペースを形成して情報を記録する光情報記録装置であって、
記録情報に基づいて前記光源を駆動し、前記光源から第１のパワーで前記記録情報に基づいて変調された記録パルス光を出力させると共に、所定マーク長よりも長いマークの形成時は、当該マークを形成する前記記録パルス光の波形中央部を前記第１のパワーよりも低い第２のパワーにする光源駆動部と、
前記第１のパワーと前記第２のパワーとのパワー比を少なくとも２つ設定し、該設定した各パワー比となる前記第１のパワーと前記第２のパワーとの組み合わせで、前記光記録媒体上にマーク長が異なる複数のマークを形成させるべく前記光源駆動部を制御する制御部と、
前記制御部による制御により前記光記録媒体に形成された各マークについて、理論マーク長とのずれ量を表すデビエーションを測定する測定手段と、
前記測定手段による測定結果に基づいて、前記制御部で設定したパワー比と異なるパワー比における前記複数のマーク各々のデビエーションを推定する推定手段と、
前記測定手段による測定結果及び前記推定手段による推定結果に基づいて、前記デビエーションの分散を前記パワー比毎に算出する算出手段と、
前記算出手段により算出された分散が最小となるパワー比と略同一になるように、前記パワーを設定する設定手段と、
を備えたことを特徴とする光情報記録装置。
【請求項２】
光源から出力された記録パルス光を光記録媒体に照射することにより、前記光記録媒体上にマーク及びスペースを形成して情報を記録する光情報記録装置において、記録情報に基づいて前記光源を駆動し、前記光源から第１のパワーで前記記録情報に基づいて変調された記録パルス光を出力させると共に、所定マーク長よりも長いマークの形成時は、当該マークを形成する前記記録パルス光の波形中央部を前記第１のパワーよりも低い第２のパワーにする場合のパワー設定方法であって、
前記第１のパワーと前記第２のパワーとのパワー比を少なくとも２つ設定し、該設定した各パワー比となる前記第１のパワーと前記第２のパワーとの組み合わせで、前記光記録媒体上にマーク長が異なる複数のマークを形成させる第１のステップと、
前記第１のステップにより前記光記録媒体に形成された各マークについて、理論マーク長とのずれ量を表すデビエーションを測定する第２のステップと、
前記第２のステップによる測定結果に基づいて、前記第１のステップにおいて設定したパワー比と異なるパワー比における前記複数のマーク各々のデビエーションを推定する第３のステップと、
前記第２のステップにおける測定結果及び前記第３のステップにおける推定結果に基づいて、前記デビエーションの分散を前記パワー比毎に算出する第４のステップと、
前記第４のステップにより算出された分散が最小となるパワー比と略同一になるように、前記パワーを設定する第５のステップと、
を備えたことを特徴とするパワー設定方法。
【発明の詳細な説明】
【技術分野】
【０００１】
本発明は、光記録媒体に情報を記録するための好適なパワーを設定する光情報記録装置およびパワー設定方法に関する。        
【背景技術】
【０００２】
近年、情報通信技術の発達により、インターネット等が目覚しい勢いで普及したことにより、ネットワークを介して多くの情報がさかんにやり取りされている。こうした状況の中、近年、情報記録装置の分野において、ＣＤ−Ｒなどの追記型光ディスクやＣＤ−ＲＷなどの書き換え型光ディスクが記録媒体として注目を浴びている。また、最近では、レーザ光源としての半導体レーザの短波長化、高い開口数（Numerical Aperture）を有する高ＮＡ対物レンズによるスポット径の小径化、及び薄型基板の採用などにより、ＤＶＤ±Ｒ、ＤＶＤ±ＲＷ、ＤＶＤ−ＲＡＭなどの大容量の光ディスクが情報記録装置において用いられている。
【０００３】
ここで、ＣＤ−Ｒ等への情報の記録は、ＰＣ（ＰＣ：Personal Computer）等から与えられた記録情報をＥＦＭ（ＥＦＭ：Eight to Fourteen Modulation）信号に変換して行われるが、使用する光ディスクを構成する色素記録層等の組成の違いから、光記録媒体の蓄熱や冷却速度の不足に起因するマークの形成不良等の問題が生じるために、ＥＦＭ信号をそのまま記録しようとしても、所望のマークやスペースを形成することはできない。
そのため、基準となる記録波形に対して、使用する個々の光ディスクに固有の記録パラメータ（以下、これをライトストラテジという。）を定めて良好な記録品位を維持する方式が採用されている。
【０００４】
一般に、代表的なライトストラテジは、マークとスペースの比率を変化する方法、記録パルスの先端部に付加パルスを加える方法、マークとスペースの組み合わせにより、パルスの立ち上がりあるいは立下り位置を変える方法、記録パルスをマルチパルス化する方法等がある。また、ライトストラテジは、上記のように、光ディスクの色素、相変化材料、色素の膜厚あるいは溝の形状等ばかりでなく、記録速度とも密接な関係があることが知られている。
【０００５】
そのため、ライトストラテジは、光記録媒体ごとに、あるいは記録速度ごとに規定されており、例えば、４倍速以上の記録速度で記録動作を行うＤＶＤ−Ｒの場合には、図６に示すようなＣａｓｔｌｅ型のライトストラテジが用いられる。このＣａｓｔｌｅ型のライトストラテジでは、５Ｔ〜１４Ｔのマークに対して、記録パルスの中央部がへこんだ凹状のパルス形状が定められている。この凹状パルスのレベルは、パルスのレベルを規定するトップパワーＰｏと凹部のレベルを規定するミドルパワーＰｍにより定められており、規格上は、この２つのパラメータに関して調整が認められている。
【０００６】
ところで、５Ｔ〜１４Ｔのマーク長は、上記の凹状パルスの総面積に応じて決定される。そのため、トップパワーＰｏとミドルパワーＰｍとの比率（Ｐｏ／Ｐｍ）をどのように設定するかは、直接、形成されるマーク形状に影響を及ぼす。したがって、トップパワーＰｏとミドルパワーＰｍとの比率（Ｐｏ／Ｐｍ）をどのように設定するかは、記録品位に直結する重要な問題となる。
【０００７】
こうした問題に対して、従来は、ライトストラテジやトップパワーＰｏを固定した状態でトップパワーＰｏとミドルパワーＰｍとの比率（Ｐｏ／Ｐｍ）を複数の値に変化しながら、情報の記録を行い、記録した情報の再生ジッタを図８に示すように求めた上で、ジッタ値が最小となるトップパワーＰｏとミドルパワーＰｍとの比率（Ｐｏ／Ｐｍ）を決定していた。
【０００８】
また、上記のトップパワーＰｏやミドルパワーＰｍは、情報の読み出しやサーボ制御に用いられるレベル（バイアスパワーＰｂ）に対してその値を規定している。そのため、バイアスパワーＰｂが変動すると、これに応じて、相対的にトップパワーＰｏやミドルパワーＰｍが変動し、記録品位が悪化する。このことを防止するために、バイアスパワーＰｂの変化に応じて、ミドルパワーＰｍを変化させる技術が開示されている（例えば、特許文献１参照。）。
【特許文献１】特開２００４−９５００７号公報
【発明の開示】
【発明が解決しようとする課題】
【０００９】
しかしながら、前者の方法では、トップパワーＰｏとミドルパワーＰｍとの比率（Ｐｏ／Ｐｍ）を決定するために、光記録媒体上に様々な情報を記録し、これを再生してジッタ値を求め、求めたジッタ値を解析する必要がある。そのため、最適なトップパワーＰｏとミドルパワーＰｍとの比率（Ｐｏ／Ｐｍ）を決定するまでに相当の時間を要するという問題がある。
【００１０】
また、光情報記録再生装置内で、トップパワーＰｏとミドルパワーＰｍとの比率（Ｐｏ／Ｐｍ）を設定する場合を考えると、一般に、光記録媒体における内周および外周のテストエリアには容量的な限度があるために、多くの情報を記録し、最適値を見出す方法は、この点においても問題がある。
【００１１】
また、後者の方法では、バイアスパワーＰｂの変化には追従できるが、記録品位を維持するためには、最適なトップパワーＰｏとミドルパワーＰｍとの比率（Ｐｏ／Ｐｍ）を設定することが条件になる。しかし、そのための手法は一切開示されていないという問題がある。
【００１２】
そこで、本発明は、上記の問題点に鑑みてなされたものであって、少ない情報記録によって、各光記録媒体に好適なパワーを短時間で設定することができる光情報記録装置およびパワー設定方法を提供することを目的とする。
【課題を解決するための手段】
【００１３】
上記の課題を解決するために、本発明は以下の事項を提案している。
請求項１に係る発明は、光源から出力された記録パルス光を光記録媒体に照射することにより、前記光記録媒体上にマーク及びスペースを形成して情報を記録する光情報記録装置であって、記録情報に基づいて前記光源を駆動し、前記光源から第１のパワーで前記記録情報に基づいて変調された記録パルス光を出力させると共に、所定マーク長よりも長いマークの形成時は、当該マークを形成する前記記録パルス光の波形中央部を前記第１のパワーよりも低い第２のパワーにする光源駆動部と、前記第１のパワーと前記第２のパワーとのパワー比を少なくとも２つ設定し、該設定した各パワー比となる前記第１のパワーと前記第２のパワーとの組み合わせで、前記光記録媒体上にマーク長が異なる複数のマークを形成させるべく前記光源駆動部を制御する制御部と、前記制御部による制御により前記光記録媒体に形成された各マークについて、理論マーク長とのずれ量を表すデビエーションを測定する測定手段と、前記測定手段による測定結果に基づいて、前記制御部で設定したパワー比と異なるパワー比における前記複数のマーク各々のデビエーションを推定する推定手段と、前記測定手段による測定結果及び前記推定手段による推定結果に基づいて、前記デビエーションの分散を前記パワー比毎に算出する算出手段と、前記算出手段により算出された分散が最小となるパワー比と略同一になるように、前記パワーを設定する設定手段と、を備えたことを特徴とする光情報記録装置を提案している。
【００１４】
請求項２に係る発明は、光源から出力された記録パルス光を光記録媒体に照射することにより、前記光記録媒体上にマーク及びスペースを形成して情報を記録する光情報記録装置において、記録情報に基づいて前記光源を駆動し、前記光源から第１のパワーで前記記録情報に基づいて変調された記録パルス光を出力させると共に、所定マーク長よりも長いマークの形成時は、当該マークを形成する前記記録パルス光の波形中央部を前記第１のパワーよりも低い第２のパワーにする場合のパワー設定方法であって、前記第１のパワーと前記第２のパワーとのパワー比を少なくとも２つ設定し、該設定した各パワー比となる前記第１のパワーと前記第２のパワーとの組み合わせで、前記光記録媒体上にマーク長が異なる複数のマークを形成させる第１のステップと、前記第１のステップにより前記光記録媒体に形成された各マークについて、理論マーク長とのずれ量を表すデビエーションを測定する第２のステップと、前記第２のステップによる測定結果に基づいて、前記第１のステップにおいて設定したパワー比と異なるパワー比における前記複数のマーク各々のデビエーションを推定する第３のステップと、前記第２のステップにおける測定結果及び前記第３のステップにおける推定結果に基づいて、前記デビエーションの分散を前記パワー比毎に算出する第４のステップと、前記第４のステップにより算出された分散が最小となるパワー比と略同一になるように、前記パワーを設定する第５のステップとを備えたことを特徴とするパワー設定方法を提案している。
【００１５】
これらの発明によれば、光源駆動部は、記録情報に基づいて光源を駆動し、光源から第１のパワーで記録情報に基づいて変調された記録パルス光を出力させる。このとき、所定マーク長よりも長いマークを形成する時には、マークを形成する記録パルス光の波形中央部を第１のパワーよりも低い第２のパワーにする。制御部は、第１のパワーと第２のパワーとのパワー比を少なくとも２つ設定し、設定した各パワー比となる第１のパワーと第２のパワーとの組み合わせで、光記録媒体上にマーク長が異なる複数のマークを形成させるように光源駆動部を制御する。測定手段は、制御部による制御により光記録媒体に形成された各マークについて、理論マーク長とのずれ量を表すデビエーションを測定する。推定手段は、測定手段による測定結果に基づいて、制御部で設定したパワー比と異なるパワー比における複数のマーク各々のデビエーションを推定する。算出手段は、測定手段による測定結果及び推定手段による推定結果に基づいて、デビエーションの分散をパワー比毎に算出する。そして、設定手段は、算出手段により算出された分散が最小となるパワー比と略同一になるように、パワーを設定する。
【発明の効果】
【００１６】
本発明によれば、第１のパワー（トップパワーＰｏ）と第２のパワー（ミドルパワーＰｍ）との比率（Ｐｏ／Ｐｍ）を変化させた少なくとも２回の情報記録および情報再生により、使用する光記録媒体に対応した好適なパワーを短時間で設定することができるという効果がある。
【発明を実施するための最良の形態】
【００１７】
本発明に係る光情報記録再生装置は、トップパワーＰｏとミドルパワーＰｍとの比率（Ｐｏ／Ｐｍ）を変化させたときに、各マークの理論長と記録長との差分（デビエーション）の変化量がトップパワーＰｏとミドルパワーＰｍとの比率（Ｐｏ／Ｐｍ）の変化量に対して、略比例関係にあることに着目し、トップパワーＰｏとミドルパワーＰｍとの比率（Ｐｏ／Ｐｍ）を変化させたときの各マークのデビエーションに対する分散を求め、この分散が最小となるトップパワーＰｏとミドルパワーＰｍとの比率（Ｐｏ／Ｐｍ）から好適なパワーを設定するものである。
【００１８】
そこで、まず、本実施形態に係る光情報記録再生装置の具体的な説明を行う前に、その前提となる事項について図３から図５を用いて説明する。
図３は、トップパワーＰｏとミドルパワーＰｍとの比率（Ｐｏ／Ｐｍ）を変化させたときの各マークのデビエーションをプロットしたものである。この図から、トップパワーＰｏとミドルパワーＰｍとの比率（Ｐｏ／Ｐｍ）と各マークのデビエーションとの間には線形性があることがわかる。
【００１９】
図４は、トップパワーＰｏとミドルパワーＰｍとの比率（Ｐｏ／Ｐｍ）と各マークのデビエーションとの間に線形性があることに着目して、図３を模式的に表したものであるが、この図を見ると、各マークのデビエーションの変化は、トップパワーＰｏとミドルパワーＰｍとの比率（Ｐｏ／Ｐｍ）に対して、右下がりの５Ｔから１４Ｔのグループと、右上がりの３Ｔおよび４Ｔのグループに分かれている。
【００２０】
図４から、トップパワーＰｏとミドルパワーＰｍとの比率（Ｐｏ／Ｐｍ）は、横軸を右に進むにつれて、その値が大きくなる。これは、５Ｔから１４Ｔの記録パルスにより形成される面積は小さくなるため、５Ｔから１４Ｔの各マークの記録長が理論長に対して、どんどん小さくなることを示している。これは、５Ｔから１４Ｔに関しては、トップパワーＰｏとミドルパワーＰｍとの比率（Ｐｏ／Ｐｍ）の変化が直接、記録パルスの形状の変化に結びつくためである。
【００２１】
一方で、３Ｔおよび４Ｔについては、トップパワーＰｏとミドルパワーＰｍとの比率（Ｐｏ／Ｐｍ）が変化したとしても、記録パルスに直接的な影響はないが、規格上、３Ｔから１４Ｔのマーク長の総和量は同じになっているため、５Ｔから１４Ｔの記録長が変化することにより、３Ｔおよび４Ｔについては、５Ｔから１４Ｔの記録長の変化とは逆向きの変化を受けることになる。したがって、図４における直線の傾きの相違は、上記事実に起因している。
【００２２】
また、図３を見ると、３Ｔおよび４Ｔの変化の具合は、ほぼ直線状と考えてよいが、５Ｔから１４Ｔについては、３Ｔおよび４Ｔに比べると線形性に乏しい。しかし、この点については、後述する分散を算出の際に用いる加重平均値の算出において、各マークのデビエーションに各マークの存在確率を乗じているために相殺できる。つまり、５Ｔから１４Ｔは、３Ｔおよび４Ｔに比較するとその存在確率が低いため、多少、直線性に乏しくても、その影響は、デビエーションに存在確率を乗ずることにより軽減することが可能だからである。
【００２３】
上述のことから、トップパワーＰｏとミドルパワーＰｍとの比率（Ｐｏ／Ｐｍ）と各マークのデビエーションとは直線で近似できることから、少なくともトップパワーＰｏとミドルパワーＰｍとの比率（Ｐｏ／Ｐｍ）を２つ定め、このときの各マークのデビエーションを算出すれば、図４に示すような関係を求めることができる。
【００２４】
一方、ジッタ値と各マークのデビエーションについても密接な関係がある。つまり、ジッタはマーク長、スペース長のばらつきであるから、各マークのデビエーションから算出される分散が最小になるときに、ジッタ値も最小になる。
【００２５】
そこで、本発明では、この点に着目して、デビエーションの分散Ｋを数１のように規定する。ここで、Ａｖｇは、加重平均値であり、数２のように表される。ここで、数１のＤｅｖ（ｉ）はｉＴマークのデビエーションを、Ｒ（ｉ）はｉＴマークの存在確率を示し、数２のＤ（ｍＴ）はｍＴマークのデビエーションを、Ｒ（ｍＴ）はｍＴマークの存在確率を示している。
【００２６】
【数１】
2006351092.tif 000003
【００２７】
【数２】
2006351092.tif 000004
【００２８】
つまり、トップパワーＰｏとミドルパワーＰｍとの比率（Ｐｏ／Ｐｍ）と各マークのデビエーションとの線形性を利用して、トップパワーＰｏとミドルパワーＰｍとの比率（Ｐｏ／Ｐｍ）ごとの各マークのデビエーションを図４に示すように求め、この値から数１にしたがって、その分散を順次求める。そして、求めた分散とトップパワーＰｏとミドルパワーＰｍとの比率（Ｐｏ／Ｐｍ）とから、分散が最小となるようなトップパワーＰｏとミドルパワーＰｍとの比率（Ｐｏ／Ｐｍ）を求めれば、それが、ジッタ最小のトップパワーＰｏとミドルパワーＰｍとの比率（Ｐｏ／Ｐｍ）となる。なお、図５は、ジッタ値と本発明で定義したトップパワーＰｏとミドルパワーＰｍとの比率（Ｐｏ／Ｐｍ）に対応した分散との関係を実測値に基づいて示したものであるが、この図から明らかなように、相関性を示すＲ2は、０．９９１９を示しており、両者の相関性の高さを実証している。
【００２９】
以下、図面を用いて、本発明の実施形態に係る光情報記録装置について詳細に説明する。
本実施形態に係る光情報記録再生装置は、図１に示すように、光ディスク（光記録媒体）１と、光ピックアップ２と、ヘッドアンプ３と、データデコーダ４と、記録長検出部５と、ＲＯＭ６と、ＲＡＭ７と、デビエーション算出部（測定手段）８と、分散算出部（算出手段）９と、記録パルス列補正部１０と、制御部（推定手段）１１と、ライトパワー設定部（設定手段）１２と、コントローラ１３と、データエンコーダ１４と、レーザ駆動部（光源駆動部）１５とから構成されている。
【００３０】
光ディスク１は、半導体レーザによりマークおよびスペースの記録、再生を行える光記録媒体であり、本実施形態においては、ＤＶＤ±Ｒを主に想定している。
光ピックアップ２は、図示しない半導体レーザ等の光源や、コリメータレンズ、フォーカスアクチュエータあるいはトラッキングアクチュエータとによって駆動される対物レンズ、偏光ビームスプリッタ、シリンドリカルレンズ等の光学部品、及びＡ，Ｂ，Ｃ，Ｄの４つの領域に分割され、光を電気信号に変換する４分割あるいは２分割のフォトディテクタ（ＰＤ）あるいは記録再生時のレーザ出力をモニタするフロントモニタダイオード等を備えている。
【００３１】
ヘッドアンプ３は、光ディスク１からの反射光を検出し、検出した反射光より反射光量を演算して、４分割ＰＤの各領域への反射光量の総和を示すＲＦ信号を生成するとともに、光ピックアップ２の照射レーザの焦点ずれを検出した信号であるフォーカスエラー信号（ＦＥ）を非点収差法によって生成し、さらに光ピックアップ２の照射レーザのトラックずれを検出した信号であるトラッキングエラー信号（ＴＥ）をプッシュプル法によって生成する。
【００３２】
データデコーダ４は、ヘッドアンプ３において生成されたＲＦ信号からＥＦＭ信号を生成し、さらにこれを所望の形式の信号に変換してコントローラ１３に出力する。
記録長検出部５は、データデコーダ４からＥＦＭ信号を入力し、図示しない時間計測回路により、入力したＥＦＭ信号のパルス幅を測定する。本実施形態においては、トップパワーＰｏとミドルパワーＰｍとの比率（Ｐｏ／Ｐｍ）を変化した場合の各マークの記録長を測定する。
【００３３】
ＲＯＭ６は、書き換え不能の記憶装置であり、光情報記録装置全体を制御するための制御プログラムや基準ライトストラテジ、各マークの理論長あるいは各マークの存在確率等が記憶されている。ＲＡＭ７は書き換え可能な記憶装置であり、記録長検出部５から入力した記録長の測定結果、記録長の測定値と各マークの理論長とのデビエーション値等が一時的に記憶される。
【００３４】
デビエーション算出部８は、ＲＡＭ７内に記憶された記録長の測定値と各マークの理論長とから各マークのデビエーションを算出する。分散算出部９は、トップパワーＰｏとミドルパワーＰｍとの比率（Ｐｏ／Ｐｍ）に対応した各マークにおけるデビエーションの分散を所定の演算式に基づいて算出する。
【００３５】
記録パルス列補正部１０は、制御部１１からライトストラテジあるいはパラメータを入力し、これに基づいて記録パルス列を形成し、レーザ駆動部１５に出力する。制御部１１は、光情報記録再生装置全体をＲＯＭ６内に格納した制御プログラムにしたがって制御する。
【００３６】
また、本実施形態においては、トップパワーＰｏとミドルパワーＰｍとの比率（Ｐｏ／Ｐｍ）を変化したときの各マークのデビエーションを直線補間処理して、測定外の比率に対応する各マークのデビエーションを算出し、この値をＲＡＭ７に格納する。また、ＲＡＭ７から分散算出部９が算出した分散を入力し、分散が最小となるようなトップパワーＰｏとミドルパワーＰｍとの比率（Ｐｏ／Ｐｍ）を求める。
【００３７】
ライトパワー設定部１２は、制御部１１から入力したトップパワーＰｏとミドルパワーＰｍとの比率（Ｐｏ／Ｐｍ）に基づいてライトパワーを設定し、設定されたライトパワーをレーザ駆動部１５に出力する。
【００３８】
コントローラ１３は、記録信号をデータエンコーダ１４に供給し、また、データデコーダ４から記録信号の読み出す装置であり、データエンコーダ１４は、コントローラ１３からの記録信号をＥＦＭ信号等に変換して記録パルス列補正部１０に出力する。レーザ駆動部１５は、入力した記録パルスに応じた半導体レーザ駆動用のパルス信号を生成して、これを光ピックアップ２内の図示しない半導体レーザに供給する。これにより光ピックアップ２内の半導体レーザから記録情報に基づいて変調された記録パルス光が出力される。出力された記録パルス光は、光ディスク１に照射され、光ディスク１上にマーク及びスペースが形成される。
【００３９】
次に、図２を用いて、本実施形態における処理の流れを説明する。
まず、制御部１１は、トップパワーＰｏとミドルパワーＰｍとの比率（Ｐｏ／Ｐｍ）を任意のトップパワーＰｏとミドルパワーＰｍとの比率（Ｐｏ／Ｐｍ）（図２では、Ｐｏ／Ｐｍ１と示す。）に設定するようライトパワー設定部１２に制御信号を出力する。ライトパワー設定部１２は、制御部１１からの制御信号に従って、トップパワーＰｏとミドルパワーＰｍとの比率（Ｐｏ／Ｐｍ）を任意の比率（Ｐｏ／Ｐｍ１）に設定して、設定したライトパワーをレーザ駆動部１５に出力する。記録パルス列補正部１０は、入力されたライトストラテジに基づいて記録パルス列を形成し、レーザ駆動部１５に出力する。レーザ駆動部１５は、入力した記録パルスに応じた半導体レーザ駆動用のパルス信号を生成して、マークおよびスペースの記録動作を実行する（ステップ１０１）。
【００４０】
次に、制御部１１は、Ｐｏ／Ｐｍ１とは異なる任意の比率（図２では、Ｐｏ／Ｐｍ２と示す。）を設定し、制御信号をライトパワー設定部１２に出力する。そして、ステップ１０１と同様の処理を経て、記録動作を実行する（ステップ１０２）。
【００４１】
次に、トップパワーＰｏとミドルパワーＰｍとの比率（Ｐｏ／Ｐｍ）をＰｏ／Ｐｍ１およびＰｏ／Ｐｍ２として記録したマークおよびスペースを再生する。再生された信号は、ヘッドアンプ３およびデータデコーダ４を介して記録長検出部５に入力され、３Ｔから１４Ｔまでの各マーク長が検出され、その値がＲＡＭ７の所定のエリアに格納される（ステップ１０３）。
【００４２】
デビエーション算出部８は、ＲＡＭ７から３Ｔから１４Ｔまでの各マークの記録長を読み出し、次いで、ＲＯＭ６から３Ｔから１４Ｔまでの各マークの理論長を読み出して、３Ｔから１４Ｔまでの各マークの記録長と理論長のデビエーションを算出し、算出結果をＲＡＭ７の所定エリアに格納する（ステップ１０４）。
【００４３】
制御部１１は、ＲＡＭ７の所定エリアからＰｏ／Ｐｍ１およびＰｏ／Ｐｍ２に対応するデビエーションを読み出して、３Ｔから１４Ｔまでの各Ｔごとに直線補間処理を行う。そして、直線補間処理をした結果から、マークおよびスペースの記録時に用いたトップパワーＰｏとミドルパワーＰｍとの比率（Ｐｏ／Ｐｍ）以外の任意の比率に対応するデビエーションを算出し、この値をトップパワーＰｏとミドルパワーＰｍとの比率（Ｐｏ／Ｐｍ）に関連付けてＲＡＭ７の所定のエリアに格納する（ステップ１０５）。
【００４４】
分散算出部９は、ＲＡＭ７からトップパワーＰｏとミドルパワーＰｍとの比率（Ｐｏ／Ｐｍ）に関連付けられた３Ｔから１４Ｔまでの各マークのデビエーションを読み出すとともに、ＲＯＭ６から３Ｔから１４Ｔまでの各マークの存在確率を読み出し、上記の数１および数２に基づいて、３Ｔから１４Ｔまでの各マークのトップパワーＰｏとミドルパワーＰｍとの比率（Ｐｏ／Ｐｍ）に対する、ステップ１０５において算出した３Ｔから１４Ｔの  デビエーションの分散を算出し、その値をＲＡＭ７の所定のエリアに格納する（ステップ１０６）。
【００４５】
そして、制御部１１は、ＲＡＭ７の所定のエリアから３Ｔから１４Ｔまでの各マークのトップパワーＰｏとミドルパワーＰｍとの比率（Ｐｏ／Ｐｍ）に対するステップ１０５で算出した３Ｔから１４Ｔのデビエーションの分散を読み出し、その分散が最小となるようなトップパワーＰｏとミドルパワーＰｍとの比率（Ｐｏ／Ｐｍ）を決定する（ステップ１０７）。そして、以降、トップパワーＰｏとミドルパワーＰｍとの比率（Ｐｏ／Ｐｍ）がこの決定した比率になるように、Ｐｍを調整してマークおよびスペースを記録する。
【００４６】
図７は、トップパワーＰｏとミドルパワーＰｍとの比率（Ｐｏ／Ｐｍ）がデフォルト状態のライトパワーあるいは、本実施形態における方法によりトップパワーＰｏとミドルパワーＰｍとの比率（Ｐｏ／Ｐｍ）を調整したライトパワーで光記録媒体ＡからＤにマークおよびスペースを記録した場合の再生ジッタを示している。この図からもわかるように、いずれの光記録媒体においても、本実施形態における方法によりトップパワーＰｏとミドルパワーＰｍとの比率（Ｐｏ／Ｐｍ）を調整したライトパワーを用いて記録動作を実行した場合の方がジッタは低い値を示している。
【００４７】
したがって、これらの方法によれば、従来のように、トップパワーＰｏとミドルパワーＰｍとの比率（Ｐｏ／Ｐｍ）を変化しつつ、多くのマークおよびスペースを記録しなくても、トップパワーＰｏとミドルパワーＰｍとの比率（Ｐｏ／Ｐｍ）を変化した少なくとも２回の記録および再生動作により、使用する光記録媒体に対応した好適なパワーを短時間で設定することができる。
【００４８】
以上、図面を参照して本発明の実施の形態について詳述してきたが、具体的な構成はこれらの実施形態に限られるものではなく、この発明の要旨を逸脱しない範囲の設計変更等も含まれる。例えば、本実施形態においては、光記録媒体として書き込み型のＤＶＤ±Ｒを例にとって説明したが、これに限らず、書き替え型のＤＶＤ±ＲＷ等に用いることもできる。
【００４９】
また、例えば、本実施形態においては、分散の最小値を算出する手順について詳細に説明しなかったが、直線補間処理によって、トップパワーＰｏとミドルパワーＰｍとの比率（Ｐｏ／Ｐｍ）をいくつかサンプリングし、それぞれの分散を求めた後、最小値を求めてもよいし、例えば、２つの異なるトップパワーＰｏとミドルパワーＰｍとの比率（Ｐｏ／Ｐｍ）についてそれぞれ分散を求め、求めた分散と２つの異なるトップパワーＰｏとミドルパワーＰｍとの比率（Ｐｏ／Ｐｍ）の大小関係から、次に分散を求めるトップパワーＰｏとミドルパワーＰｍとの比率（Ｐｏ／Ｐｍ）を順次決定して、最小となるトップパワーＰｏとミドルパワーＰｍとの比率（Ｐｏ／Ｐｍ）を求めるようにしてもよい。
【図面の簡単な説明】
【００５０】
【図１】本実施形態に係る光情報記録再生装置の構成図である。
【図２】本実施形態の処理フローである。
【図３】トップパワーＰｏとミドルパワーＰｍとの比率（Ｐｏ／Ｐｍ）を変化させたときの各マークのデビエーションを示す図である。
【図４】図３を近似的に表した図である。
【図５】分散とジッタ値との関係を示した図である。
【図６】ＤＶＤ−Ｒに用いられるライトストラテジを示した図である。
【図７】トップパワーＰｏとミドルパワーＰｍとの比率（Ｐｏ／Ｐｍ）としてデフォルト値と本実施形態により求められた値を用いた場合の各光記録媒体におけるジッタ値を示したものである。
【図８】従来例を示す図である。
【符号の説明】
【００５１】
１・・・光ディスク（光記録媒体）、２・・・光ピックアップ、３・・・ヘッドアンプ、４・・・データデコーダ、５・・・記録長検出部、６・・・ＲＯＭ、７・・・ＲＡＭ、８・・・デビエーション算出部（測定手段）、９・・・分散算出部（算出手段）、１０・・・記録パルス列補正部、１１・・・制御部（推定手段）、１２・・・ライトパワー設定部（設定手段）、１３・・・コントローラ、１４・・・データエンコーダ、１５・・・レーザ駆動部（光源駆動部）
【図１】
2006351092.tif 000005
【図２】
2006351092.tif 000006
【図３】
2006351092.tif 000007
【図４】
2006351092.tif 000008
【図５】
2006351092.tif 000009
【図６】
2006351092.tif 000010
【図７】
2006351092.tif 000011
【図８】
2006351092.tif 000012